(57)【要約】【課題】待ち受けるセルを選択する優先度を設定することができるユーザ装置及び無線通信システムを提供すること。【解決手段】指定されたセル選択の優先度に基づいて、待ち受けるセルの選択を行うユーザ装置は、基地局から送信されたＲＲＣ接続解放メッセージを受信し、該ＲＲＣ接続解放メッセージにセル選択の優先度情報が含まれているか否かを判断する判断部と、該判断部による判断結果に基づいて、優先度情報が含まれている場合に、該優先度情報に従ってセル選択を行うセル選択部とを備える。【選択図】図４
2010268512.tif 000002
【特許請求の範囲】
【請求項１】
指定されたセル選択の優先度に基づいて、待ち受けるセルの選択を行うユーザ装置であって、
基地局から送信されたＲＲＣ接続解放メッセージを受信し、該ＲＲＣ接続解放メッセージにセル選択の優先度情報が含まれているか否かを判断する判断部と、
該判断部による判断結果に基づいて、優先度情報が含まれている場合に、該優先度情報に従ってセル選択を行うセル選択部と
を備えることを特徴とするユーザ装置。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特にユーザ装置及び無線通信システムに関する。
【背景技術】
【０００２】
無線通信ネットワークでは、ユーザ装置の位置は、トラッキング・エリア（Ｔｒａｃｋｉｎｇ  Ａｒｅａ）という単位でネットワークに記憶される。トラッキング・エリアとは、３Ｇにおけるロケーション・エリア（ＬＡ：  Ｌｏｃａｔｉｏｎ  Ａｒｅａ）又はルーティング・エリア（ＲＡ：  Ｒｏｕｔｉｎｇ  Ａｒｅａ）に相当し、１又は複数のセルにより構成される。
【０００３】
各ユーザ装置を管理するアクセスゲートウェイ装置は、ホームロケーションレジスタ（ＨＬＲ：  Ｈｏｍｅ  Ｌｏｃａｔｉｏｎ  Ｒｅｇｉｓｔｅｒ）にそのアクセスゲートウェイ装置の識別子が保持される。
【０００４】
ユーザ装置は、２種類の動作モード、すなわちアクティブモードとアイドルモードとを有する。
【０００５】
アイドルモードであるユーザ装置、すなわち待ち受け中のユーザ装置は、伝搬状態の一番よいセルを選択し、そのセルから送信されているページングチャネルを受信する。ユーザ装置は、受信したページングチャネルを確認し、自装置に対する着信を示すフラグの有無を確認し、自装置に対する着信を示すフラグを確認すると、在圏セルに対して上りリンクでアクセスする。ユーザ装置は、その後、該セルとの間にコネクションを張り、アクティブモードに遷移する。この時点で、ネットワーク側は、ユーザ装置が在圏するセルを特定できる。
【０００６】
ネットワーク側では、ユーザ装置がアイドルモードである場合には、該ユーザ装置との間のコネクションのない状態であるため、在圏するセルを特定することができない。このため、ネットワークは、トラッキング・エリアに属する全セルで、ページングチャネルを送信する。
【０００７】
各トラッキング・エリアでは、各セルから、トラッキング・エリアの識別子が報知されている。アイドルモードであるユーザ装置は、報知されているトラッキング・エリアの識別子を受信し、自装置の属するトラッキング・エリアを把握することができる。
【０００８】
例えば、ユーザ装置が隣のセルに移動し、そこで報知されているトラッキング・エリアの識別子がこれまで報知されていたトラッキング・エリアの識別子と異なる場合、ユーザ装置は上りリンクでアクセスし、位置登録の更新要求を行う。この位置登録の更新をトラッキング・エリア・アップデート（ＴＡＵ：  Ｔｒａｃｋｉｎｇ  Ａｒｅａ  Ｕｐｄａｔｅ）という。
【０００９】
具体的には、ユーザ装置は位置登録されているトラッキング・エリアの識別子を記憶保持している。ユーザ装置は、移動に伴いセルの再選択を行う。このセルの再選択をセルリセレクションという。移動局はセルリセレクションの度に、そのセルからの報知情報を受信し、その報知情報に含まれるトラッキング・エリアの識別子を確認する。ユーザ装置は、受信した新たなトラッキング・エリアの識別子が、記憶保持しているトラッキング・エリアの識別子と異なる場合、これまで在圏していたトラッキング・エリアから出たと判断し、トラッキング・エリア・アップデートを行う。
【００１０】
一方、受信した新たなトラッキング・エリアの識別子が記憶保持しているトラッキング・エリアの識別子と同じ場合、ユーザ装置は、これまで在圏していたトラッキング・エリアから出ていないと判断する。この場合、ユーザ装置は、トラッキング・エリア・アップデートは行わない。
【００１１】
ユーザ装置は、移動に伴い、セルリセレクションを行うが、同じトラッキング・エリアに在圏する限り、トラッキング・エリア・アップデートは行わない。
【００１２】
また、アクティブモードであるユーザ装置、すなわち通信中のユーザ装置は、トラッキング・エリア・アップデートは行わない。
【００１３】
また、上述したようにトラッキング・エリアには、１又は複数のセルが含まれる。これらの複数のセルの内、同一バンド（周波数帯）に含まれるセルの組を周波数レイヤと呼ぶ。各周波数レイヤには、１又は複数のセルが含まれる。
【００１４】
例えば、図１に示すように、１又は複数のセルが含まれるトラッキング・エリアがあり、そのトラッキング・エリアでは、周波数レイヤＦ１、Ｆ２及びＦ３が運用されている。各周波数レイヤでは、少なくとの１つのキャリア（セル）が運用されている。例えば、周波数レイヤＦ１では、２つのキャリア（セル）、すなわち、ｆＡ１及びｆＡ２が運用され、周波数レイヤＦ２では、３つのキャリア、すなわち、ｆＢ１、ｆＢ２及びｆＢ３が運用され、周波数レイヤＦ３では、３つのキャリア、すなわち、ｆＣ１、ｆＣ２及びｆＣ３が運用されている。各周波数レイヤは、周波数帯が異なるが、その無線アクセステクノロジー（ＲＡＴ：  Ｒａｄｉｏ  Ａｃｃｅｓｓ  Ｔｅｃｈｎｏｌｏｇｙ）も異なる場合もある。例えば、周波数レイヤＦ１及びＦ２がＬＴＥシステムであり、周波数レイヤＦ３がＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムである場合もある。
【００１５】
ユーザ装置は、複数の周波数レイヤに含まれる複数のセルの内のいずれかのセルに在圏している。ネットワークは、どの周波数レイヤを使用すべきかを示す優先度情報を在圏するユーザ装置に対して送信し、ユーザ装置が位置すべき周波数レイヤの優先度を指定することができる。例えば、周波数レイヤＦ１の優先順位が高いことが指定されていた場合、ユーザ装置は、周波数レイヤＦ１のカバレッジがある間は、周波数レイヤＦ１に在圏する。
【先行技術文献】
【非特許文献】
【００１６】
【非特許文献１】３ＧＰＰ  Ｒ４−０７１１１８、Ｊｕｎｅ，  ２００７
【非特許文献２】３ＧＰＰ  ＴＳ３６．２１４，  ｖ  １．０．０，  Ｍａｙ，  ２００７
【発明の概要】
【発明が解決しようとする課題】
【００１７】
上述したように、ユーザ装置が隣のセルに移動し、そのセルが含まれるトラッキング・エリアと、これまで位置していたトラッキング・エリアとが異なる場合には、ユーザ装置は、トラッキング・エリア・アップデートを行う。
【００１８】
ＭＭＥでは、ユーザ装置から送信されたトラッキング・エリア・アップデートに基づいて、該ユーザ装置とトラッキング・エリアとを対応付ける。ＭＭＥは、該ユーザ装置と対応付けたトラッキング・エリアのＩＤを、トラッキング・エリア・アップデート・アクセプト（ＴＡＵ  Ａｃｃｅｐｔ）と呼ばれる位置登録更新引き受け通知に載せて送信する。このトラッキング・エリア・アップデート・アクセプトには、登録したトラッキング・エリアＩＤの外に、周波数情報、ＲＡＴの優先度情報が含まれることが提案されている（例えば、３ＧＰＰ  Ｒ４−０７１１１８、Ｊｕｎｅ，  ２００７参照）。
【００１９】
この場合、トラッキング・エリア・アップデート・アクセプトを受信したユーザ装置は、該トラッキング・エリア・アップデート・アクセプトに含まれるＲＡＴの優先度情報に従って、優先度の高い周波数レイヤに含まれるセルに在圏するように動作する。この優先度情報は、次のトラッキング・エリア・アップデートまで保持される。また、優先度情報の保持時間を予め指定するようにしてもよい。この場合、例えばタイマーにより、保持時間の経過を検出できる。
【００２０】
しかし、待ち受けるセルの選択を行うための優先度を解放したい場合、すなわち優先度を指定せずにセルを選択させたい場合がある。この場合、全て同じ優先度を指定した優先度情報を送信することも考えられるが、優先度を解放させるための情報量が多い。
【００２１】
そこで、本ユーザ装置及び無線通信システムは、上述した問題を解決するためになされたものであり、その目的は、待ち受けセル選択の優先度の解放を行うための情報量を低減できるユーザ装置及び無線通信システムを提供することにある。
【００２２】
また、他の目的は、待ち受けるセルを選択する優先度を設定することができるユーザ装置及び無線通信システムを提供することにある。
【課題を解決するための手段】
【００２３】
本ユーザ装置は、
指定されたセル選択の優先度に基づいて、待ち受けるセルの選択を行うユーザ装置であって、
基地局から送信されたＲＲＣ接続解放メッセージを受信し、該ＲＲＣ接続解放メッセージにセル選択の優先度情報が含まれているか否かを判断する判断部と、
該判断部による判断結果に基づいて、優先度情報が含まれている場合に、該優先度情報に従ってセル選択を行うセル選択部と
を備える。
【発明の効果】
【００２４】
本ユーザ装置及び無線通信システムによれば、待ち受けセル選択の優先度の解放を行うための情報量を低減できる。
【００２５】
本ユーザ装置及び無線通信システムによれば、待ち受けるセルを選択する優先度を設定することができる。
【図面の簡単な説明】
【００２６】
【図１】周波数レイヤを示す説明図である。
【図２】一実施例に係る無線通信システムを示すブロック図である。
【図３】優先度を示す説明図である。
【図４】一実施例に係るユーザ装置示す部分ブロック図である。
【図５】一実施例に係る優先度情報の通知を示すフロー図である。
【図６】一実施例に係るユーザ装置の動作を示すフロー図である。
【図７】一実施例に係るユーザ装置の動作を示すフロー図である。
【図８】一実施例に係るユーザ装置の動作を示すフロー図である。
【図９】一実施例に係る優先度情報の通知を示すフロー図である。
【図１０】一実施例に係る優先度情報の通知を示すフロー図である。
【図１１】一実施例に係るユーザ装置の動作を示すフロー図である。
【発明を実施するための形態】
【００２７】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２８】
本実施例に係るユーザ装置が適用される無線通信システムについて、図２を参照して説明する。本実施例では、一例としてＬＴＥ（Ｌｏｎｇ  Ｔｅｒｍ  Ｅｖｏｌｕｔｉｏｎ）が適用されるシステムについて説明するが、ＵＭＴＳ（ｕｎｉｖｅｒｓａｌ  ｍｏｂｉｌｅ  ｔｅｌｅｐｈｏｎｅ  ｓｅｒｖｉｃｅ）が適用されるシステム、具体的にはＷ−ＣＤＭＡやＨＳＤＰＡが適用されるシステムにも適用できる。広くは、ネットワークから優先度情報に相当するユーザ装置の待ち受けるセルの選択に関する情報を送信し、該優先度に従ってセル選択を行う無線通信システムであれば、適用可能である。
【００２９】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムであり、基地局装置（ｅＮＢ：  ｅＮｏｄｅ  Ｂ）２００（２００１，２００２，・・・、２００ｌ、ｌはｌ＞０の整数）と複数のユーザ装置（ＵＥ：  Ｕｓｅｒ  Ｅｑｕｉｐｍｅｎｔ）１００ｎ（１００１、１００２、１００３、・・・、１００ｎ、ｎはｎ＞０の整数）とを備える。基地局装置２００ｌは、上位局装置、例えばアクセスゲートウェイ装置３００と接続され、上位局装置３００は、コアネットワーク４００と接続される。ここで、ユーザ装置１００ｎは、各基地局装置２００ｌがカバーするセル２０２ｌ（２０２１、２０２２、２０２３、・・・、２０２ｌ、ｌはｌ＞０の整数）において基地局装置２００ｌとＥｖｏｌｖｅｄ  ＵＴＲＡ  ａｎｄ  ＵＴＲＡＮにより通信を行う。
【００３０】
以下、ユーザ装置１００ｎ（１００１、１００２、１００３、・・・、１００ｎ）については、同一の構成、機能、状態を有するので、以下では特段の断りがない限りユーザ装置１００ｎとして説明を進める。説明の便宜上、基地局装置２００ｌと無線通信するのは移動局装置であるが、より一般的には移動端末も固定端末も含む。
【００３１】
無線通信システム１０００は、無線アクセス方式として、下りリンクについてはＯＦＤＭＡ（周波数分割多元接続）、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００３２】
アクセスゲートウェイ装置（ａＧＷ：  ａｃｃｅｓｓ  Ｇａｔｅｗａｙ）３００は、例えばコアネットワーク４００に備えられるようにしてもよいし、コアネットワーク４００以外のネットワークに備えられるようにしてもよい。このアクセスゲートウェイ装置を制御プレーン（Ｃ−ｐｌａｎｅ）及びユーザープレーン（Ｕ−ｐｌａｎｅ）の論理エンティティに分け、ＭＭＥ（Ｍｏｂｉｌｉｔｙ  Ｍａｎａｇｅｍｅｎｔ  Ｅｎｔｉｔｙ）／ＵＰＥ（Ｕｓｅｒ  Ｐｌａｎｅ  Ｅｎｔｉｔｙ）とする場合もある。また、コアネットワーク４００には、ホームロケーションレジスタ（ＨＬＲ：  Ｈｏｍｅ  Ｌｏｃａｔｉｏｎ  Ｒｅｇｉｓｔｅｒ）（図示なし）が備えられる。ホームロケーションレジスタには、各ユーザ装置１００ｎを管理するアクセスゲートウェイ装置の識別子が保持される。
【００３３】
第１の実施例に係る無線通信システムについて説明する。
【００３４】
本実施例に係る無線通信システムでは、アイドル状態であるユーザ装置１００ｎが、トラッキング・エリア・アップデート（以下、ＴＡＵと呼ぶ）を送信し、トラッキング・エリア・アップデート・アクセプト（ＴＡＵ  Ａｃｃｅｐｔ）（以下、ＴＡＵＡと呼ぶ）受信した場合に、該ＴＡＵＡに優先度情報が含まれていない場合には、これまで保持していた優先度情報が破棄される。言い換えれば、周波数レイヤの優先度を全て同じ優先度に変更する。その結果、ユーザ装置１００ｎは、周波数レイヤに含まれる１又は複数のセルを同じ優先度で、セル選択を行う。
【００３５】
その後、さらにユーザ装置１００ｎの位置するトラッキング・エリアが変わり、そのトラッキング・エリアで優先度が指定される場合には、ネットワークはＴＡＵＡにより、優先度情報を指定する。
【００３６】
優先度は、ロードバランシングのために指定される。例えば、複数の周波数レイヤや、各周波数レイヤに含まれるセルが存在した場合に、ある周波数レイヤ、またあるセルにユーザ装置が偏ってしまうと、他の周波数レイヤ、セルに空きがあるのに集中した周波数レイヤ又はセルで通信が実行され、その結果通信品質の劣化が生じる。例えば、図１において、周波数レイヤＦ１に待ち受けているユーザ装置が多い場合には、新たに、周波数レイヤＦ１が含まれるトラッキング・エリアに入ってきたユーザ装置に対して、周波数レイヤＦ１の優先順位を周波数レイヤＦ２及びＦ３よりも高い優先順位とした場合には、周波数Ｆ１においては、通信品質の劣化が生じる。従って、この場合、周波数レイヤＦ１の優先順位を周波数レイヤＦ２及びＦ３よりも低い優先順位とした優先度情報が含まれるＴＡＵＡが送信される。
【００３７】
また、ＬＴＥシステムでは、異なる伝送帯域を有するセルが存在する。ユーザ装置１００ｎには、狭い帯域のセルよりも広い帯域のセルを選択させる方が好ましい。この広い帯域を選択させるために、優先度情報が指定される。
【００３８】
また、周波数レイヤＦ１及びＦ２ではデータ送信サービス、周波数レイヤＦ３では音声サービスが提供される場合も想定される。この場合、音声サービスを使用するユーザには、音声サービスが提供される周波数レイヤＦ３で待ち受けさせるのが好ましい。この周波数レイヤＦ３で待ち受けさせるために、優先度情報が指定される。
【００３９】
各周波数レイヤで、同様のサービスが提供される場合には、ロードバランシングのために優先度情報が指定される。
【００４０】
ロードバランシングをとるために優先度情報を指定する必要があったが、時間が経過し、各周波数レイヤにおける負荷の均衡がとれた場合には、優先度情報を指定する必要がなくなる。
【００４１】
例えば、図３に示すように、地理的に連続するＴＡ１とＴＡ２が存在し、ＴＡ１では優先度情報を指定する必要があり、ＴＡ２では優先度情報を指定する必要がない場合には、ＴＡ１からＴＡ２に侵入したユーザ装置１００ｎが送信するＴＡＵに対し、ネットワークは優先度情報が含まれないＴＡＵＡを送信する。優先度情報が含まれないＴＡＵＡを受信したユーザ装置１００ｎは、保持していた優先度情報、ここでは、ＴＡ１における優先度情報を破棄する。図３には、周波数レイヤに含まれるセルがセルラーセルである場合を示すが、少なくとも１つの周波数レイヤに含まれるセルがホットスポットセルであってもよい。
【００４２】
次に、本実施例に係るユーザ装置１００ｎについて、図４を参照して説明する。
【００４３】
移動局１００ｎは、ＲＦ回路１０２と、ブロードキャストチャネル受信部１０４と、判断手段としての制御プレーン処理部１０６と、ユーザプレーン処理部１０８と、ユーザＩ／Ｆ１１０と、受信品質測定部１１２と、閾値判定部１１８と、制御部１２０と、セル選択部１２２とを備える。受信品質測定部１１２は、サービングセル受信品質測定部１１４と、周辺セル受信品質測定部１１６とを備える。
【００４４】
基地局２００から送信された報知チャネルを含む信号は、ＲＦ回路１０２を介してブロードキャストチャネル受信部１０４に入力される。この信号には、サービングセルの伝搬品質の閾値（Ｓｓｅａｒｃｈ）、伝搬品質のヒステリシス（Ｑｈｙｓｔ）及び受信品質のオフセット（Ｑｏｆｆｓｅｔ）が含まれる。ここで、サービングセルの伝搬品質の閾値は複数種類ある。例えば、サービングセルの伝搬品質が該閾値未満になった場合に、ユーザ装置１００ｎが、同周波数レイヤのセルサーチを行う閾値（以下、同周波数測定閾値（Ｓｉｎｔｒａ  ｓｅａｒｃｈ）と呼ぶ）、異なる周波数レイヤのセルサーチを行う閾値（以下、異周波数測定閾値（Ｓｉｎｔｅｒ  ｓｅａｒｃｈ）と呼ぶ）、異なるＲＡＴのセルサーチを行う閾値（以下、他ＲＡＴ測定閾値（Ｓｓｅａｒｃｈ  ＲＡＴ）と呼ぶ）が含まれる。以下、閾値としては、主に、異周波数測定閾値（Ｓｉｎｔｅｒ  ｓｅａｒｃｈ）が適用される場合について説明するが、同周波数測定閾値（Ｓｉｎｔｒａ  ｓｅａｒｃｈ）及び他ＲＡＴ測定閾値（Ｓｓｅａｒｃｈ  ＲＡＴ）を適用した場合についても同様に適用できる。
【００４５】
ブロードキャストチャネル受信部１０４は、報知チャネルに含まれる、サービングセルの伝搬品質の閾値（Ｓｓｅａｒｃｈ）、伝搬品質のヒステリシス（Ｑｈｙｓｔ）及び受信品質のオフセット（Ｑｏｆｆｓｅｔ）を抽出し、サービングセルの伝搬品質の閾値を閾値判定部１１８に入力し、伝搬品質のヒステリシス及び受信品質のオフセットをセル選択部１２２に入力する。
【００４６】
サービングセル受信品質測定部１１４は、待ち受けセルの伝搬品質（Ｑｓ）を測定し、該伝搬品質を閾値判定部１１８に入力する。ここで、伝搬品質とは、下りリンクのリファレンス信号の受信電力（RSRP:  Reference  Symbol  Received  Power）、Ｅｓ／Ｉｏ、下りリンクのリファレンス信号の受信電力を下りリンクの受信電力で除算した値（RSRP/RSSI）のいずれでもよい（下りリンクのリファレンス信号の受信電力の定義については、３ＧＰＰ  ＴＳ３６．２１４，  ｖ  １．０．０，  Ｍａｙ，  ２００７参照）。また、サービングセルの伝搬品質として、上述したＲＳＲＰ、Ｅｓ／Ｉｏ及びＲＳＲＰ／ＲＳＳＩのうち少なくとも１つを測定するようにしてもよい。また、これらの値以外でも伝搬品質を示す値であれば適用できる。
【００４７】
閾値判定部１１８は、ブロードキャストチャネル受信部１０４により入力されたサービングセルの伝搬品質の閾値に基づいて、サービングセル受信品質測定部１１４により入力された伝搬品質が、該閾値未満であるか否かを判定し、閾値判定結果を制御部１２０に入力する。ここで、上述したＲＳＲＰ、Ｅｓ／Ｉｏ及びＲＳＲＰ／ＲＳＳＩそれぞれに対する閾値を用意し、該閾値に基づいて判定するようにしてもよい。
【００４８】
周辺セル受信品質測定部１１６は、周期的に周辺セルサーチを行い、周辺セル（近隣セル）の伝搬品質（Ｑｎ）を測定する。この測定値は、セル選択部１２２に入力される。具体的には、制御部１２０は、ＲＦ回路１０２に対して周波数を変更するコマンドを入力し、ＲＦ回路１０２は、周波数の変更を行うことにより周辺セルサーチが行われる。
【００４９】
制御部１２０は、閾値判定部１１８から入力された閾値判定結果がサービングセルの伝搬品質が閾値未満であることを示すものである場合、セル選択部１２２に対して、選択基準（Ｒ−ｃｒｉｔｅｒｉａ）を満たすセルが存在するか否かを問い合わせる。
【００５０】
セル選択部１２２は、制御部１２０からの問い合わせに応じて、待ち受けるセルの選択における優先度が指定されていない場合、選択基準を満たすセルが存在するか否かを判断する。具体的には、セル選択部１２２は、サービングセルの伝搬品質（Ｑｓ）＋伝搬品質のヒステリシス（Ｑｈｙｓｔ）＜周辺セルの伝搬品質（Ｑｎ）＋伝搬品質のオフセット（Ｑｏｆｆｓｅｔ）を所定の時間（Ｔｒｅｓｅｌｅｃｔｉｏｎ）の間満たすセルが存在するか否かを判断する。伝搬品質のヒステリシスを含めて判断することにより、セル選択のばたつきを防止できる。セル選択部１２２は、セル選択の結果を制御部１２０に通知する。制御部１２０は、セル選択の結果に選択基準を満たすセルの情報が含まれている場合、そのセルを選択するセル再選択を行う。例えば、制御部１２０は、周波数の設定などを行う。具体的には、制御部１２０は、セル選択部１２２により入力されたセルの情報にしたがって、ＲＦ回路１０２に対し周波数の設定を行い、また制御プレーン処理部１０６に対し、バンド幅の指定などを行う。セル選択の結果に選択基準を満たすセルの情報が含まれていない場合には、サービングセル受信品質測定部１１４に対して、伝搬品質を測定するように命令する。
【００５１】
また、セル選択部１２２は、制御部１２０からの問い合わせに応じて、待ち受けるセルの選択における優先度が指定され、さらに優先度の高いセルに待ち受けている場合、サービングセルの伝搬品質（Ｑｓ）が必要とされる最低限の伝搬品質を満たしているか否かを判断する。セル選択部１２２は、サービングセルの伝搬品質（Ｑｓ）が必要とされる最低限の伝搬品質を満たしている場合には、満たしていることを制御部１２０に通知する。制御部１２０は、サービングセルの伝搬品質（Ｑｓ）が必要とされる最低限の伝搬品質を満たしていることを通知された場合には、サービングセル受信品質測定部１１４に対して、伝搬品質を測定するように命令する。セル選択部１２２は、サービングセルの伝搬品質（Ｑｓ）が必要とされる最低限の伝搬品質を満たしていない場合には、周辺セルの伝搬品質（Ｑｎ）が必要とされる最低限の伝搬品質を満たしているか否かを判断する。セル選択部１２２は、周辺セルの伝搬品質（Ｑｎ）が必要とされる最低限の伝搬品質を満たしていない場合には、満たしていないことを制御部１２０に通知する。制御部１２０は、周辺セルの伝搬品質（Ｑｎ）が必要とされる最低限の伝搬品質を満たしていないことを通知された場合には、サービングセル受信品質測定部１１４に対して、伝搬品質を測定するように命令する。一方、セル選択部１２２は、周辺セルの伝搬品質（Ｑｎ）が必要とされる最低限の伝搬品質を満たしている場合には、満たしていることを制御部１２０に通知する。制御部１２０は、周辺セルの伝搬品質（Ｑｎ）が必要とされる最低限の伝搬品質を満たしていることを通知された場合には、そのセルを選択する。例えば、制御部１２０は、周波数の設定などを行う。具体的には、制御部１２０は、セル選択部１２２により入力されたセルに関する情報にしたがって、ＲＦ回路１０２に対し周波数の設定を行い、また制御プレーン処理部１０６に対し、バンド幅の指定などを行う。
【００５２】
また、セル選択部１２２は、制御部１２０からの問い合わせに応じて、待ち受けるセルの選択における優先度が指定され、さらに優先度の低いセルに待ち受けている場合、周辺セルの伝搬品質が必要とされる最低限の伝搬品質にヒステリシスを加えた値を満たしているか否かを判断する。セル選択部１２２は、周辺セルの伝搬品質（Ｑｎ）が必要とされる最低限の伝搬品質にヒステリシスを加えた値以下である場合には、満たしていないことを制御部１２０に通知する。制御部１２０は、近隣セルの伝搬品質（Ｑｎ）が必要とされる最低限の伝搬品質にヒステリシスを加えた値以下であることを通知された場合には、サービングセル受信品質測定部１１４に対して、伝搬品質を測定するように命令する。一方、セル選択部１２２は、近隣セルの伝搬品質（Ｑｎ）が必要とされる最低限の伝搬品質にヒステリシスを加えた値を超えている場合には、満たしていることを制御部１２０に通知する。制御部１２０は、近隣セルの伝搬品質（Ｑｎ）が必要とされる最低限の伝搬品質にヒステリシスを加えた値を満たしていることを通知された場合には、そのセルを選択する。例えば、制御部１２０は、周波数の設定などを行う。具体的には、制御部１２０は、セル選択部１２２により入力されたセルに関する情報にしたがって、ＲＦ回路１０２に対し周波数の設定を行い、また制御プレーン処理部１０６に対し、バンド幅の指定などを行う。
【００５３】
一方、ブロードキャストチャネル受信部１０４は、サービングセルの伝搬品質の閾値（Ｓｓｅａｒｃｈ）、伝搬品質のヒステリシス（Ｑｈｙｓｔ）及び受信品質のオフセット（Ｑｏｆｆｓｅｔ）以外の情報を制御プレーン制御部１０６に入力する。例えば、ブロードキャストチャネル受信部１０４は、ＴＡＵＡを制御プレーン制御部１０６に入力する。
【００５４】
制御プレーン制御部１０６は、入力されたＴＡＵＡに優先度情報が含まれる場合、その優先度情報をセル選択部１２２に入力する。また、制御プレーン制御部１０６は、入力されたトラッキング・エリア・アップデート・アクセプトに優先度情報が含まれていない場合、優先度情報を破棄する命令をセル選択部１２２に入力する。又は、周波数レイヤに対して同じ優先度となる優先度情報をセル選択部１２２に入力するようにしてもよい。
【００５５】
ユーザプレーン制御部１０８は、制御プレーン制御部１０６にしたがった処理を行い、送信データを、ＲＦ回路１０２を介して送信する。また、ＲＦ回路１０２を介して受信データを受信する。
【００５６】
次に、本実施例に係る優先度の通知方法について、図５を参照して説明する。
【００５７】
ユーザ装置１００ｎは、ＲＲＣ接続要求（ＲＲＣ  ｃｏｎｎｅｃｔｉｏｎ  ｒｅｑｕｅｓｔ）を送信する（ステップＳ５０２）。
【００５８】
ユーザ装置１００ｎは、ＴＡＵを送信する（ステップＳ５０４）。このＴＡＵは基地局装置２００ｌを介して、上位局、例えばＭＭＥに送信される（ステップＳ５０６）。ＭＭＥでは、ユーザ装置１００ｎから送信されたＴＡＵに基づいて、該ユーザ装置１００ｎとトラッキング・エリアとを対応付け、さらに、該ユーザ装置１００ｎに対して待ち受けるセルの選択における優先度を必要に応じて割り当てる（ステップＳ５０８）。
【００５９】
ＭＭＥは、該ユーザ装置１００ｎと対応付けたトラッキング・エリアのＩＤを、ＴＡＵＡと呼ばれるメッセージに載せて送信する（ステップＳ５１０）。この場合、優先度が指定された場合にはこのＴＡＵＡには優先度情報が含まれ、優先度が指定されない場合にはこのＴＡＵＡには優先度情報が含まれない。例えば、オプション情報により、優先度情報を指定するようにしてもよい。この場合、オプション情報がない場合には、優先度情報が指定されないことになる。このように、オプション情報がないことにより、優先度情報がないことが指定されるため、優先度を指定しない場合に同じ優先度が指定された優先度情報を送信する場合よりも送信する情報量を低減できる。
【００６０】
このＴＡＵＡは、基地局装置２００ｌを介して、ユーザ装置１００ｎに通知される（ステップＳ５１２）。
【００６１】
基地局装置２００ｌは、ＲＲＣ解放要求（ＲＲＣ  ｒｅｌｅａｓｅ）を送信する（ステップＳ５１４）。該ＲＲＣ解放要求は、ＲＲＣ接続解放（ＲＲＣ  ｃｏｎｎｅｃｔｉｏｎ  ｒｅｌｅａｓｅ）メッセージと呼ばれてもよい。
【００６２】
ユーザ装置１００ｎは、ＲＲＣ解放を行い、完了通知を行う（ステップＳ５１６）。この完了通知は行われない場合もある。
【００６３】
ユーザ装置１００ｎは、ＴＡＵＡに基づいて、優先度情報の更新を行う（ステップＳ５１８）。この場合、優先度情報が含まれていない場合には、これまで保持している優先度の破棄を行う。すなわち、各周波数レイヤの優先度を同じにする。
【００６４】
次に、ＴＡＵＡに優先度情報が含まれていない場合のユーザ装置１００ｎの動作について、図６を参照して説明する。
【００６５】
サービングセル受信品質測定部１１４は、サービングセルの伝搬品質（Ｑｓ）を測定する（ステップＳ６０２）。
【００６６】
閾値判定部１１８は、サービングセルの伝搬品質（Ｑｓ）が、該サービングセルの伝搬品質の閾値未満であるか否かを判定する（ステップＳ６０４）。例えば、サービングセルの伝搬品質（Ｑｓ）と、異周波数測定閾値（Ｓｉｎｔｅｒ  ｓｅａｒｃｈ）との比較が行われる。
【００６７】
サービングセルの伝搬品質（Ｑｓ）が、異周波数測定閾値（Ｓｉｎｔｅｒ  ｓｅａｒｃｈ）未満でない場合（ステップＳ６０４：ＮＯ）、ステップＳ６０２に戻る。
【００６８】
一方、サービングセルの伝搬品質（Ｑｓ）が、異周波数測定閾値（Ｓｉｎｔｅｒ  ｓｅａｒｃｈ）未満である場合（ステップＳ６０４：ＹＥＳ）、制御部１２０は、セル選択部１２２に対して、選択基準を満たすセルが存在するか否かを問い合わせる。制御部１２０は、ＲＦ回路１０２に対して周波数を変更するコマンドを入力し、ＲＦ回路１０２は、周波数の変更を行う。周辺セル受信品質測定部１１６は、周期的に周辺セルサーチを行い、周辺セルの伝搬品質を測定する（ステップＳ６０６）。この場合、現在在圏しているセルが含まれる周波数レイヤに含まれるセルと、該周波数レイヤとは異なる周波数レイヤに含まれるセルの伝搬品質が測定される。
【００６９】
セル選択部１２２は、制御部１２０からの問い合わせに応じて、待ち受けるセルの選択における優先度が指定されていないので、選択基準を満たすセルが存在するか否かを判断する。ここで、優先度が指定されていないとは、自ユーザ装置１００ｎが受信したＴＡＵＡに優先度情報が含まれていないを示す。この場合、制御プレーン制御部１０６は、優先度情報を破棄する命令をセル選択部１２２に入力する。又は、周波数レイヤに対して同じ優先度となる優先度情報をセル選択部１２２に入力するようにしてもよい。
【００７０】
セル選択部１２２は、サービングセルの伝搬品質（Ｑｓ）＋伝搬品質のヒステリシス（Ｑｈｙｓｔ）＜周辺セルの伝搬品質（Ｑｎ）＋伝搬品質のオフセット（Ｑｏｆｆｓｅｔ）を所定の時間（Ｔｒｅｓｅｌｅｃｔｉｏｎ）の間満たすセルが存在するか否かを判断する（ステップＳ６０８）。
【００７１】
ステップＳ６０８の条件を満たすセルが存在しない場合（ステップＳ６０８：ＮＯ）、ステップＳ６０２に戻る。一方、ステップＳ６０８の条件を満たすセルが存在する場合（ステップＳ６０８：ＹＥＳ）、制御部６１０は、そのセルを選択する（セル再選択）。ここでセル再選択とは、そのセルで待ち受けを行うことを言う。
【００７２】
このように、優先度（プライオリティ）が指定されていない場合には、ユーザ装置１００ｎは、無線状態がよいセルで待ち受けることができる。
【００７３】
次に、ＴＡＵＡに優先度情報が含まれている場合のユーザ装置１００ｎの動作について説明する。
【００７４】
ユーザ装置１００ｎは優先度の高いセル（優先度が最高のセル）に待ち受けている場合について、図７を参照して説明する。
【００７５】
サービングセル受信品質測定部１１４は、サービングセルの伝搬品質（Ｑｓ）を測定する（ステップＳ７０２）。
【００７６】
閾値判定部１１８は、サービングセルの伝搬品質（Ｑｓ）が、該サービングセルの伝搬品質の閾値未満であるか否かを判定する（ステップＳ７０４）。例えば、サービングセルの伝搬品質（Ｑｓ）と、異周波数測定閾値（Ｓｉｎｔｅｒ  ｓｅａｒｃｈ）との比較が行われる。
【００７７】
サービングセルの伝搬品質（Ｑｓ）が、異周波数測定閾値（Ｓｉｎｔｅｒ  ｓｅａｒｃｈ）未満でない場合（ステップＳ７０４：ＮＯ）、ステップＳ７０２に戻る。
【００７８】
一方、サービングセルの伝搬品質（Ｑｓ）が、異周波数測定閾値（Ｓｉｎｔｅｒ  ｓｅａｒｃｈ）未満である場合（ステップＳ７０４：ＹＥＳ）、制御部１２０は、セル選択部１２２に対して、基準を満たすセルが存在するか否かを問い合わせる。制御部１２０は、ＲＦ回路１０２に対して周波数を変更するコマンドを入力し、ＲＦ回路１０２は、周波数の変更を行う。周辺セル受信品質測定部１１６は、周期的に周辺セルサーチを行い、近隣セルの伝搬品質を測定する（ステップＳ７０６）。
【００７９】
セル選択部１２２は、制御部１２０からの問い合わせに応じて、優先度が指定され、その優先度の中で最も優先度の高いセルに在圏しているので、サービングセルの伝搬品質が必要とされる最低限の伝搬品質を満たさず、且つ必要とされる最低限の伝搬品質を満たす近隣セルが存在するか否かを判断する（ステップＳ７０８）。すなわち、最も優先度の高いセルに在圏しているため、サービングセルの伝搬品質が必要とされる最低限の伝搬品質を満たしている限りセル再選択は行われない。
【００８０】
ステップＳ７０８の条件を満たすセルが存在しない場合（ステップＳ７０８：ＮＯ）、ステップＳ７０２に戻る。一方、ステップＳ７０８の条件を満たすセルが存在する場合（ステップＳ７０８：ＹＥＳ）、制御部１２０は、そのセルを選択する（セル再選択）。ここでセル再選択とは、そのセルで待ち受けを行うことを言う。
【００８１】
ユーザ装置１００ｎが優先度の最高のセルに待ち受けていない場合について、図８を参照して説明する。
【００８２】
サービングセル受信品質測定部１１４は、サービングセルの伝搬品質（Ｑｓ）を測定する（ステップＳ８０２）。
【００８３】
制御部１２０は、ＲＦ回路１０２に対して周波数を変更するコマンドを入力し、ＲＦ回路１０２は、周波数の変更を行う。周辺セル受信品質測定部１１６は、周期的に周辺セルサーチを行い、周辺セルの伝搬品質を測定する（ステップＳ８０４）。この場合、ユーザ装置１００ｎは、現在在圏しているセルが含まれる周波数レイヤに含まれるセルと、該周波数レイヤとは異なる周波数レイヤに含まれるセルの伝搬品質を測定する。ここで、伝搬品質を測定するセルの順番は、該セルが含まれる周波数レイヤの優先度に従う。
【００８４】
セル選択部１２２は、近隣セルの伝搬品質が必要とされる最低の伝搬品質にヒステリシスを加えた値を超えるか否かを判断する（ステップＳ８０６）。
【００８５】
必要とされる最低の伝搬品質にヒステリシスを加えた伝搬品質を超える伝搬品質の近隣セルが存在しない場合（ステップＳ８０６：ＮＯ）、ステップＳ８０２に戻る。一方、ステップＳ８０６の条件を満たすセルが存在する場合（ステップＳ８０６：ＹＥＳ）、制御部１２０は、そのセルを選択する（セル再選択）。ここでセル再選択とは、そのセルで待ち受けを行うことを言う。
【００８６】
次に、他の実施例に係る無線通信システムについて説明する。
【００８７】
本実施例に係る無線通信システムの構成及びユーザ装置の構成は、図２及び図４を参照して説明した構成と同様である。
【００８８】
上述した実施例においては、ＴＡＵの応答信号であるＴＡＵＡに優先度情報が含まれない場合に、ユーザ装置１００ｎにおいて保持している優先度情報が破棄される場合について説明したが、本実施例では、ＲＲＣ解放要求（ＲＲＣ  ｒｅｌｅａｓｅ）に、優先度情報が含まれる。このようにすることにより、終話時に待ち受けセルの優先度の解放を行うことができる。その結果、ユーザ装置１００ｎは、受信状態のよいセルで待ち受けることができる。この場合の優先度情報の通知方法について、図９を参照して説明する。
【００８９】
通信が終了し、ユーザ装置１００ｎに対し終話の操作が行われる。ユーザ装置１００ｎは、終話操作に基づいて、解放要求（Ｒｅｌｅａｓｅ  ｒｅｑｕｅｓｔ）を送信する（ステップＳ９０２）。この解放要求は、基地局装置２００ｌを介して、上位局に送信される（ステップＳ９０４）。
【００９０】
上位局は、ユーザ装置１００ｎにより送信された解放要求に応じて、Ｓ１解放要求（Ｓ１  Ｒｅｌｅａｓｅ  ｒｅｑｕｅｓｔ）を送信する（ステップＳ９０６）。本実施例では、優先度情報を含むＳ１解放要求を送信する。ここで、Ｓ１とは上位局と基地局装置間のインターフェースである。
【００９１】
基地局装置２００ｌは、Ｓ１解放要求に従って、Ｓ１の解放を行い、Ｓ１解放完了通知（Ｓ１  Ｒｅｌｅａｓｅ  ｃｏｍｐｌｅｔｅ）を上位局に送信する（ステップＳ９０８）。
【００９２】
そして、基地局装置２００ｌは、Ｓ１解放要求に含まれる優先度情報をＲＲＣ解放要求（ＲＲＣ  ｒｅｌｅａｓｅ）に含め、ユーザ装置１００ｎに送信する（ステップＳ９１０）。
【００９３】
ユーザ装置１００ｎは、ＲＲＣ解放要求に含まれる優先度情報に基づいて、優先度情報の更新を行う（ステップＳ９１２）。この場合、優先度情報が含まれていない場合には、これまで保持している優先度の破棄を行う。すなわち、各周波数レイヤの優先度を同じにする。
【００９４】
例えば、ブロードキャストチャネル受信部１０４は、ＲＲＣ解放要求を制御プレーン制御部１０６に入力する。
【００９５】
制御プレーン制御部１０６は、入力されたＲＲＣ解放要求に優先度情報が含まれる場合、その優先度情報をセル選択部１２２に入力する。また、制御プレーン制御部１０６は、入力されたＲＲＣ解放要求に優先度情報が含まれていない場合、優先度情報を破棄する命令をセル選択部１２２に入力する。又は、周波数レイヤに対して同じ優先度となる優先度情報をセル選択部１２２に入力するようにしてもよい。
【００９６】
次に、他の実施例に係る無線通信システムについて説明する。
【００９７】
本実施例に係る無線通信システムの構成及びユーザ装置の構成は、図２及び図４を参照して説明した構成と同様である。
【００９８】
上述した実施例においては、上位局において優先度情報の割り当てが行われる場合について説明したが、この優先度の割り当ては基地局装置２００ｌで行われるようにしてもよい。
【００９９】
この場合の優先度の通知方法について、図１０を参照して説明する。
【０１００】
ユーザ装置１００ｎは、ＲＲＣ接続要求（ＲＲＣ  ｃｏｎｎｅｃｔｉｏｎ  ｒｅｑｕｅｓｔ）を送信する（ステップＳ１００２）。
【０１０１】
ユーザ装置１００ｎは、ＴＡＵを送信する（ステップＳ１００４）。このＴＡＵは基地局装置２００ｌを介して、上位局、例えばＭＭＥに送信される（ステップＳ１００６）。ＭＭＥでは、ユーザ装置１００ｎから送信されたＴＡＵに基づいて、該ユーザ装置１００ｎとトラッキング・エリアとを対応付け、該ユーザ装置１００ｎと対応付けたトラッキング・エリアのＩＤを、ＴＡＵＡと呼ばれるメッセージに載せて送信する（ステップＳ１００８）。
【０１０２】
基地局装置２００ｌは、該ユーザ装置１００ｎに対して優先度を指定する場合には、優先度を割り当てる（Ｓ１０１０）。
【０１０３】
基地局装置２００ｌは、上位局から送信されたＴＡＵＡをユーザ装置１００ｎに送信する（ステップＳ１０１２）。
【０１０４】
基地局装置２００ｌは、割り当てた優先度情報をＲＲＣ解放要求（ＲＲＣ  ｒｅｌｅａｓｅ）に含め、ユーザ装置１００ｎに送信する（ステップＳ１０１４）。この場合、優先度が指定された場合にはこのＲＲＣ解放要求には優先度情報が含まれ、優先度が指定されない場合にはこのＲＲＣ解放要求には優先度情報が含まれない。例えば、オプション情報により、優先度情報を指定するようにしてもよい。この場合、オプション情報がない場合には、優先度情報が指定されないことになる。
【０１０５】
ユーザ装置１００ｎは、ＲＲＣ解放を行い、完了通知を行う（ステップＳ１０１６）。この完了通知は行われない場合もある。
【０１０６】
ユーザ装置１００ｎは、ＲＲＣ解放要求に含まれる優先度情報に基づいて、優先度情報の更新を行う（ステップＳ１０１８）。この場合、優先度情報が含まれていない場合には、これまで保持している優先度の破棄を行う。すなわち、各周波数レイヤの優先度を同じにする。
【０１０７】
例えば、ブロードキャストチャネル受信部１０４は、ＲＲＣ解放要求を制御プレーン制御部１０６に入力する。
【０１０８】
制御プレーン制御部１０６は、入力されたＲＲＣ解放要求に優先度情報が含まれる場合、その優先度情報をセル選択部１２２に入力する。また、制御プレーン制御部１０６は、入力されたＲＲＣ解放要求に優先度情報が含まれていない場合、優先度情報を破棄する命令をセル選択部１２２に入力する。又は、周波数レイヤに対して同じ優先度となる優先度情報をセル選択部１２２に入力するようにしてもよい。
【０１０９】
次に、他の実施例に係る無線通信システムについて説明する。
【０１１０】
本実施例に係る無線通信システムの構成及びユーザ装置の構成は、図２及び図４を参照して説明した構成と同様である。
【０１１１】
本実施例に係るユーザ装置１００ｎでは、ＴＡＵＡに優先度情報が含まれ、さらに優先度の高いセル（優先度が最高のセル）に待ち受けている場合の動作が、上述した実施例とは異なる。上述した実施例においては、ＴＡＵＡに優先度情報が含まれ、さらに優先度の高いセル（優先度が最高のセル）に待ち受けている場合に、ユーザ装置１００ｎは、サービングセルの伝搬品質が必要とされる最低限の伝搬品質を満たさず、且つ必要とされる最低限の伝搬品質を満たす近隣セルが存在するか否かを判断する場合について説明した。
【０１１２】
本実施例に係るユーザ装置１００ｎは、ＴＡＵＡに優先度情報が含まれ、さらに優先度の高いセル（優先度が最高のセル）に待ち受けている場合に、サービングセルの伝搬品質が必要とされる最低限の伝搬品質を満たさず、且つ必要とされる最低限の伝搬品質を満たす同周波の周辺セルが存在せず、且つ必要とされる最低限の伝搬品質を満たす異周波の周辺セルが存在するか否かを判断する。ここで、同周波の周辺セルとは現在在圏しているセルが含まれる周波数レイヤに含まれるセルのうち、現在在圏しているセル以外のセルであり、異周波の周辺セルとは現在在圏しているセルが含まれる周波数レイヤとは異なる周波数レイヤに含まれるセルをいう。
【０１１３】
本実施例に係るユーザ装置１００ｎの動作について、図１１を参照して説明する。
【０１１４】
ユーザ装置１００ｎは優先度の高いセル（優先度が最高のセル）に待ち受けている。
【０１１５】
サービングセル受信品質測定部１１４は、サービングセルの伝搬品質（Ｑｓ）を測定する（ステップＳ１１０２）。
【０１１６】
閾値判定部１１８は、サービングセルの伝搬品質（Ｑｓ）が、該サービングセルの伝搬品質の閾値未満であるか否かを判定する（ステップＳ１１０４）。例えば、サービングセルの伝搬品質（Ｑｓ）と、異周波数測定閾値（Ｓｉｎｔｅｒ  ｓｅａｒｃｈ）との比較が行われる。
【０１１７】
サービングセルの伝搬品質（Ｑｓ）が、異周波数測定閾値（Ｓｉｎｔｅｒ  ｓｅａｒｃｈ）未満でない場合（ステップＳ１１０４：ＮＯ）、ステップＳ１１０２に戻る。
【０１１８】
一方、サービングセルの伝搬品質（Ｑｓ）が、異周波数測定閾値（Ｓｉｎｔｅｒ  ｓｅａｒｃｈ）未満である場合（ステップＳ１１０４：ＹＥＳ）、制御部１２０は、セル選択部１２２に対して、基準を満たすセルが存在するか否かを問い合わせる。制御部１２０は、ＲＦ回路１０２に対して周波数を変更するコマンドを入力し、ＲＦ回路１０２は、周波数の変更を行う。周辺セル受信品質測定部１１６は、周期的に周辺セルサーチを行い、近隣セルの伝搬品質を測定する（ステップＳ１１０６）。
【０１１９】
セル選択部１２２は、制御部１２０からの問い合わせに応じて、優先度が指定され、その優先度の中で最も優先度の高いセルに在圏しているので、サービングセルの伝搬品質が必要とされる最低限の伝搬品質を満たさず、且つ必要とされる最低限の伝搬品質を満たす同周波の周辺セルが存在せず、且つ必要とされる最低限の伝搬品質を満たす異周波の周辺セルが存在するか否かを判断する（ステップＳ１１０８）。すなわち、最も優先度の高いセルに在圏しているため、サービングセルの伝搬品質が必要とされる最低限の伝搬品質を満たしている限りセル再選択は行われない。また、本実施例では、必要とされる最低限の伝搬品質を満たすセルが存在しても、そのセルが、現在在圏している周波数レイヤに含まれる場合には、セル再選択は行われない。
【０１２０】
ステップＳ１１０８の条件を満たすセルが存在しない場合（ステップＳ１１０８：ＮＯ）、ステップＳ１１０２に戻る。一方、ステップＳ１１０８の条件を満たすセルが存在する場合（ステップＳ１１０８：ＹＥＳ）、制御部１２０は、そのセルを選択する（セル再選択）。ここでセル再選択とは、そのセルで待ち受けを行うことを言う。
【０１２１】
このようにすることにより、サービングセルの伝搬品質が必要とされる最低限の伝搬品質を満たさない場合に、現在在圏している周波数レイヤとは異なる周波数レイヤに、最低限の伝搬品質を満たすセルが存在する場合のみ、セル再選択が行われる。
【０１２２】
上述した実施例において、ユーザ装置個別にレイヤ毎の選択優先度が設定されると共に、該優先度の有効期限が設定されるようにしてもよい。
【０１２３】
また、全ユーザ装置に適用されるレイヤ毎の優先度(common  priority)が設定されるようにしてもよい。この全ユーザ装置に適用されるレイヤ毎の優先度は、固定されたものであってもよいし、動的に変更されてもよい。この場合、該全ユーザ装置に適用されるレイヤ毎の優先度は、報知情報により通知されるようにしてもよい。該報知情報により全ユーザ装置に適用されるレイヤ毎の優先度が通知された場合には、個別にレイヤ毎の選択優先度が設定されていないユーザ装置は、該全ユーザ装置に適用されるレイヤ毎の優先度に従って、待ち受けを行う。また、該報知情報により全ユーザ装置に適用されるレイヤ毎の優先度が通知された場合には、個別にレイヤ毎の選択優先度が設定されていても、その有効期限が切れているユーザ装置は、該全ユーザ装置に適用されるレイヤ毎の優先度に従って、待ち受けを行う。この場合、全ユーザ装置に適用されるレイヤ毎の優先度により指定される周波数レイヤ及びユーザ装置個別のレイヤ毎の選択優先度により指定される周波数レイヤに含まれない周波数レイヤはセル選択の候補にはならない。
【０１２４】
また、上述した実施例において、優先度は、基地局装置２００からのシグナリング(signaling)で通知されるようにしてもよい。該シグナリングには、ＲＲＣ解放要求(RRC  release)が含まれてもよい。該ＲＲＣ解放要求は、ＲＲＣ接続解放（ＲＲＣ  ｃｏｎｎｅｃｔｉｏｎ  ｒｅｌｅａｓｅ）メッセージと呼ばれてもよい。
【０１２５】
また、ユーザ装置が保持していた優先度情報は、該ユーザ装置がRRC  connection  requestに対する応答信号を受信した場合に破棄されてもよい。言い換えれば、該ユーザ装置と基地局装置とのコネクションが張られた時点で、破棄されてもよい。
【０１２６】
上述した実施例では、周波数レイヤが３である場合について説明したが，周波数レイヤが２である場合、４以上である場合でも同様である。
【０１２７】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係るユーザ装置及び無線通信システムは、ネットワークから優先度情報に相当するユーザ装置のセル選択に関する情報を送信し、該優先度に従ってセル選択を行う無線通信システム、例えば、上述したようにＵＭＴＳが適用される無線通信システムにおいて適用することが可能である。
【０１２８】
説明の便宜上、発明の理解を促すため具体的な数値例を用いて説明されるが、特に断りのない限り、それらの数値は単なる一例に過ぎず適切な如何なる値が使用されてよい。
【０１２９】
以上の実施例を含む実施形態に関し、更に、以下の項目を開示する。
【０１３０】
（１）指定されたセル選択の優先度に基づいて、待ち受けるセルの選択を行うユーザ装置であって：
基地局から送信された信号を受信し、該信号にセル選択の優先度情報が含まれているか否かを判断する判断手段；
前記判断手段による判断結果に基づいて、前記優先度情報が含まれていない場合に、各セル同様の優先度でセル選択を行うセル選択手段；
を備える。
【０１３１】
（２）（１）に記載のユーザ装置において：
異なるトラッキング・エリアに移動した場合に位置登録の更新要求を行い、
前記判断手段は、前記位置登録の更新要求に対する位置登録更新引き受け通知に、前記セル選択の優先度情報が含まれているか否かを判断する。
【０１３２】
（３）（１）に記載のユーザ装置において：
前記判断手段は、ＲＲＣ解放要求に、セル選択の優先度情報が含まれているか否かを判断する。
【０１３３】
（４）上位局により指定されたセル選択の優先度に基づいて、待ち受けるセルの選択を行うユーザ装置を備える無線通信システムであって：
前記上位局は、
各ユーザ装置に対して、待ち受けるセルを選択する優先度を設定する場合に、その優先度を設定する優先度設定手段；
前記ユーザ装置からの位置登録の更新要求に対する位置登録更新引き受け通知に、前記優先度設定手段により設定された優先度情報を含む位置登録更新引き受け通知を送信する送信手段；
を備え、
前記ユーザ装置は、
前記位置登録更新引き受け通知に、セル選択の優先度情報が含まれているか否かを判断する判断手段；
前記判断手段による判断結果に基づいて、前記優先度情報が含まれていない場合に、各セル同様の優先度でセル選択を行うセル選択手段；
を備える。
【０１３４】
（５）基地局装置により指定されたセル選択の優先度に基づいて、待ち受けるセルの選択を行うユーザ装置を備える無線通信システムであって：
前記基地局装置は、
各ユーザ装置に対して、待ち受けるセルを選択する優先度を設定する場合に、その優先度を設定する優先度設定手段；
前記優先度設定手段により設定された優先度情報を含むＲＲＣ解放要求を送信する送信手段；
を備え、
前記ユーザ装置は、
前記ＲＲＣ解放要求に、セル選択の優先度情報が含まれているか否かを判断する判断手段；
前記判断手段による判断結果に基づいて、前記優先度情報が含まれていない場合に、各セル同様の優先度で待ち受けるセルの選択を行うセル選択手段；
を備える。
【０１３５】
（６）指定されたセル選択の優先度に基づいて、待ち受けるセルの選択を行うユーザ装置であって：
基地局から送信された信号を受信し、該信号にセル選択の優先度情報が含まれているか否かを判断する判断手段；
前記判断手段による判断結果に基づいて、優先度情報が含まれている場合に、該優先度情報に従ってセル選択を行うセル選択手段；
を備える。
【０１３６】
（７）（６）に記載のユーザ装置において：
前記判断手段は、ＲＲＣ接続解放メッセージに、セル選択の優先度情報が含まれているか否かを判断する。
【０１３７】
（８）（６）に記載のユーザ装置において：
前記判断手段は、報知情報に、セル選択の優先度情報が含まれているか否かを判断する。
【０１３８】
（９）（６）に記載のユーザ装置において：
前記優先度情報には、該優先度情報の有効期限が含まれる。
【０１３９】
（１０）基地局装置により指定されたセル選択の優先度に基づいて、待ち受けるセルの選択を行うユーザ装置を備える無線通信システムであって：
前記基地局装置は、
各ユーザ装置に対して、待ち受けるセルを選択する優先度を設定する場合に、その優先度を設定する優先度設定手段；
前記優先度設定手段により設定された優先度情報を含むＲＲＣ接続解放メッセージを送信する送信手段；
を備え、
前記ユーザ装置は、
前記ＲＲＣ接続解放メッセージに、セル選択の優先度情報が含まれているか否かを判断する判断手段；
前記判断手段による判断結果に基づいて、優先度情報が含まれている場合に、該優先度情報に従ってセル選択を行うセル選択手段；
を備える。
【０１４０】
（１１）指定されたセル選択の優先度に基づいて、待ち受けるセルの選択を行うユーザ装置であって、
基地局から送信されたＲＲＣ接続解放メッセージを受信し、該ＲＲＣ接続解放メッセージにセル選択の優先度情報が含まれているか否かを判断する判断部と、
該判断部による判断結果に基づいて、優先度情報が含まれている場合に、該優先度情報に従ってセル選択を行うセル選択部と
を備える。
【０１４１】
（１２）（１１）に記載のユーザ装置において、
前記判断部は、報知情報に、セル選択の優先度情報が含まれているか否かを判断する。
【０１４２】
（１３）（１２）に記載のユーザ装置において、
前記セル選択部は、当該ユーザ装置個別に設定されるべき優先度が設定されていない場合に、前記報知情報に含まれる優先度に従ってセル選択を行う。
【０１４３】
（１４）（１１）に記載のユーザ装置において、
前記優先度情報には、該優先度情報の有効期限が含まれる。
【０１４４】
（１５）基地局装置により指定されたセル選択の優先度に基づいて、待ち受けるセルの選択を行うユーザ装置を備える無線通信システムであって、
前記基地局装置は、
各ユーザ装置に対して、待ち受けるセルを選択する優先度を設定する場合に、その優先度を設定する優先度設定部と、
前記優先度設定部により設定された優先度情報を含むＲＲＣ接続解放メッセージを送信する送信部と
を備え、
前記ユーザ装置は、
前記ＲＲＣ接続解放メッセージに、セル選択の優先度情報が含まれているか否かを判断する判断部と、
前記判断部による判断結果に基づいて、優先度情報が含まれている場合に、該優先度情報に従ってセル選択を行うセル選択部と
を備える。
【０１４５】
以上、特定の実施例を参照しながら説明されてきたが、各実施例は単なる例示に過ぎず、当業者は様々な変形例、修正例、代替例、置換例等を理解するであろう。説明の便宜上、本実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【０１４６】
本国際出願は、２００７年８月１７日に出願した日本国特許出願２００７−２１３１４８号に基づく優先権を主張するものであり、２００７−２１３１４８号の全内容を本国際出願に援用する。
【符号の説明】
【０１４７】
１００ｎ（１００１、１００２、１００３、・・・、１００ｎ）  ユーザ装置
１０２  ＲＦ回路
１０４  ブロードキャストチャネル受信部
１０６  制御プレーン処理部
１０８  ユーザプレーン処理部
１１０  ユーザＩ／Ｆ
１１２  受信品質測定部
１１４  サービングセル受信品質測定部
１１６  周辺セル受信品質測定部
１１８  閾値判定部
１２０  制御部
１２２  セル選択部
２００ｌ（２００１、２００２、２００３、・・・、２００ｌ）  基地局装置
２０２ｌ（２０２１、２０２２、２０２３、・・・、２０２ｌ）  セル
３００  アクセスゲートウェイ装置
４００  コアネットワーク
【図１】
2010268512.tif 000003
【図２】
2010268512.tif 000004
【図３】
2010268512.tif 000005
【図４】
2010268512.tif 000006
【図５】
2010268512.tif 000007
【図６】
2010268512.tif 000008
【図７】
2010268512.tif 000009
【図８】
2010268512.tif 000010
【図９】
2010268512.tif 000011
【図１０】
2010268512.tif 000012
【図１１】
2010268512.tif 000013